(57)【要約】【課題】使用前か使用後かを容易に判断でき、かつ、ペニスを収納する内部空間を清潔に保つことができる男性用尿吸収物品を提供することを目的とする。【解決手段】挿入部６に、男性用尿吸収物品１の幅方向の延びる弱化線７が形成され、弱化線７を裂開することにより、ペニスを挿入するための開口部が形成される。このような構成にすることにより、男性用尿吸収物品１を着用するときに初めて弱化線７を裂開して開口部を形成することになるので、男性用尿吸収物品１が未使用であるか使用済みであるかを視認することができる。また、使用時まで弱化線７を裂開して開口しないので、それまでの未使用状態では、ペニスを収納する袋体５の内部空間５ａに外部から異物が侵入しにくく、そのため内部空間５ａを清潔に保つことができ、袋体５の内部空間５ａは着用者のペニスに直接触れるものであるので衛生的にも優れている。【選択図】図１
2010035781.tif 000002
【特許請求の範囲】
【請求項１】
ペニス挿入用の挿入部を有し、着用者のペニスに装着されて尿を吸収する袋状の男性用尿吸収物品であって、
ペニス挿入方向と交差する方向を幅方向として、前記挿入部に、前記男性用尿吸収物品の幅方向に延びる弱化線が形成され、
前記弱化線を裂開することにより、ペニスを挿入するための開口部が形成されることを特徴とする男性用尿吸収物品。
【請求項２】
請求項１に記載の男性用尿吸収物品において、
液透過性のトップシートと、液不透過性のバックシートと、前記トップシート及び前記バックシートの間に介在する吸収体とを有する積層体と、
その外周縁部が前記積層体の外周縁部に接合されて前記積層体とともに袋体を構成する表面シートと、
を備え、
前記表面シートに前記挿入部が形成されていることを特徴とする男性用尿吸収物品。
【請求項３】
請求項２に記載の男性用尿吸収物品において、
前記積層体の上面と対向する液透過性の不織布シートと、
前記表面シートと前記不織布シートとの間に介挿された吸収体と、
を更に備えることを特徴とする男性用尿吸収物品。
【請求項４】
請求項１乃至請求項３のいずれかに記載の男性用尿吸収物品において、
前記弱化線は、前記挿入部に前記幅方向に沿ってミシン目状に切り込みを設けることにより形成されていることを特徴する男性用尿吸収物品。
【請求項５】
請求項１乃至請求項４のいずれかに記載の男性用尿吸収物品において、
前記挿入部の縁部は、前記幅方向に延びる一対の対向辺を有し、
前記一対の対向辺から前記男性用尿吸収物品の外部側へ向けて一対の張出部が張り出されていることを特徴とする男性用尿吸収物品。
【請求項６】
請求項５に記載の男性用尿吸収物品において、
前記張出部の対向面には、接着対象との間で着脱自在な接着層が形成されていることを特徴とする男性用尿吸収物品。
【請求項７】
請求項１乃至請求項６のいずれかに記載の男性用尿吸収物品において、
前記弱化線又はその近傍に目印を付したことを特徴とする男性用尿吸収物品。
【請求項８】
請求項７に記載の男性用尿吸収物品において、
前記目印は、男性用尿吸収物品の他の部位とは異なる色で前記弱化線に着色されることを特徴とする男性用尿吸収物品。
【請求項９】
請求項７又は請求項８に記載の男性用尿吸収物品において、
前記目印は、前記弱化線近傍に付された文字、図形及び記号のうち少なくとも一つであることを特徴とする男性用尿吸収物品。
【発明の詳細な説明】
【技術分野】
【０００１】
本発明は、着用者に装着されて尿を吸収する男性用尿吸収物品に関する。
【背景技術】
【０００２】
身体が不自由な高齢者や入院患者、又は、寝たきりの高齢者や入院患者等の排尿処理を容易にするために、使い捨ておむつ等が用いられている。
【０００３】
しかし、使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００４】
上記補助吸収具の１つとして、使い捨ておむつや下着の内側において着用者のペニスに装着される男性用吸収パッドが利用されている。
【０００５】
このような従来の男性用吸収パッドについては、例えば、特許文献１に開示されている。
【０００６】
【特許文献１】特開２００４−１５９７２４号公報
【発明の開示】
【発明が解決しようとする課題】
【０００７】
しかしながら、従来の男性用尿吸収パッドは、使用前か使用後かを判断する識別手段が設けられておらず、使用前か使用後かを判断するのは、専ら男性用尿吸収パッド内の吸収体が尿を吸収して重くなった重量感か、若しくは、尿が染みこんで男性用尿吸収パッド内が着色しているかどうか等、使用者の主観に基づいて判断していた。
【０００８】
しかし、この判断の方法では、男性用尿吸収パッドを装着しただけで排尿せずに取り外していた場合や、尿がほんの少ししか排尿されなかった場合等にはこの識別方法は使えなかった。
【０００９】
本発明は、上記課題を解決するものであって、使用前か使用後かを容易に判断でき、かつ、ペニスを収納する内部空間を清潔に保つことができる男性用尿吸収物品を提供することを目的とする。
【課題を解決するための手段】
【００１０】
上記課題を解決するため、請求項１に係る発明は、ペニス挿入用の挿入部を有し、着用者のペニスに装着されて尿を吸収する袋状の男性用尿吸収物品であって、ペニス挿入方向と交差する方向を幅方向として、前記挿入部に、前記男性用尿吸収物品の幅方向に延びる弱化線が形成され、前記弱化線を裂開することにより、ペニスを挿入するための開口部が形成されることを特徴とする。
【００１１】
請求項２に係る発明は、請求項１に記載の男性用尿吸収物品において、液透過性のトップシートと、液不透過性のバックシートと、前記トップシート及び前記バックシートの間に介在する吸収体とを有する積層体と、その外周縁部が前記積層体の外周縁部に接合されて前記積層体とともに袋体を構成する表面シートと、を備え、前記表面シートに前記挿入部が形成されている。
【００１２】
請求項３に係る発明は、請求項２に記載の男性用尿吸収物品において、前記積層体の上面と対向する液透過性の不織布シートと、前記表面シートと前記不織布シートとの間に介挿された吸収体と、を更に備えることを特徴とする。
【００１３】
請求項４に係る発明は、請求項１乃至請求項３のいずれかに記載の男性用尿吸収物品において、前記弱化線は、前記挿入部に前記幅方向に沿ってミシン目状に切り込みを設けることにより形成されていることを特徴する。
【００１４】
請求項５に係る発明は、請求項１乃至請求項４のいずれかに記載の男性用尿吸収物品において、前記挿入部の縁部は、前記幅方向に延びる一対の対向辺を有し、前記一対の対向辺から前記男性用尿吸収物品の外部側へ向けて一対の張出部が張り出されていることを特徴とする。
【００１５】
請求項６に係る発明は、請求項５に記載の男性用尿吸収物品において、前記張出部の対向面には、接着対象との間で着脱自在な接着層が形成されていることを特徴とする。
【００１６】
請求項７に係る発明は、請求項１乃至請求項６のいずれかに記載の男性用尿吸収物品において、前記弱化線又はその近傍に目印を付したことを特徴とする。
【００１７】
請求項８に係る発明は、請求項７に記載の男性用尿吸収物品において、前記目印は、男性用尿吸収物品の他の部位とは異なる色で前記弱化線に着色されることを特徴とする。
【００１８】
請求項９に係る発明は、請求項７又は請求項８に記載の男性用尿吸収物品において、前記目印は、前記弱化線近傍に付された文字、図形及び記号のうち少なくとも一つであることを特徴とする。
【発明の効果】
【００１９】
請求項１〜９に記載の発明によれば、挿入部に、男性用尿吸収物品の幅方向に延びる弱化線が形成され、弱化線を裂開することにより、ペニスを挿入するための開口部が形成される。このような構成にすることにより、男性用尿吸収物品を着用するときに初めて弱化線を裂開して開口部を形成することになるので、男性用尿吸収物品が未使用であるか使用済みであるかを視認することができる。また、使用時まで弱化線を裂開して開口しないので、それまでの未使用状態では、ペニスを収納する袋体の内部空間に外部から異物が侵入しにくく、そのため内部空間を清潔に保つことができ、袋体の内部空間は着用者のペニスに直接触れるものであるので衛生的にも優れている。
【００２０】
特に、請求項３に記載の発明によれば、積層体の上面と対向する液透過性の不織布シートと、表面シートと不織布シートとの間に介挿された吸収体と、を更に備える。このような構成にすることにより、尿の吸収量を増加させることができ、また、吸収体はクッション性を有するので、袋体がペニスを収納したとき、更に良好なフィット感が得られる。
【００２１】
特に、請求項５に記載の発明によれば、挿入部の縁部は、幅方向に延びる一対の対向辺を有し、一対の対向辺から男性用尿吸収物品の外部側へ向けて一対の張出部が張り出されている。このような構成にすることにより、男性用尿吸収物品を装着する際に、張出シートがペニスの保持手段として機能するとともに、把手手段として着用者若しくは介護者が装着するために掴むことができる。また、それぞれの張出部を掴んで、一対の張出部が離間する方向に引っ張ることで、挿入部もその方向に広がり弱化線が裂開する。
【００２２】
特に、請求項６に記載の発明によれば、張出部の対向面には、接着対象との間で着脱自在な接着層が形成されている。このような構成にすることにより、一対の張出シートの対向面をペニスの外周に当接させ、対向した張出シート同士を押さえつけることにより、一対の張出シートそれぞれに形成された接着層同士が貼着し、ペニスに当接していない領域の開口部を閉口させてペニスを保持することができる。
【００２３】
特に、請求項８に記載の発明によれば、弱化線又はその近傍に目印を付することにより、目印を手がかりとして弱化線の位置を容易に視認することができ、したがって、弱化線の切断作業を容易に行うことができる。
【発明を実施するための最良の形態】
【００２４】
以下、本発明の好適な実施形態について、図面を参照しつつ説明する。本実施形態に係る男性用尿吸収物品１は、着用者に着用されるアウター（外装物品、例えば、使い捨ておむつやパンツ）の内側において、着用者のペニス２に装着されて尿を吸収する補助吸収具である。なお、以下の説明では、説明の便宜上、トップシート３１側を「上」若しくは「表」とし、バックシート３２側を「下」若しくは「裏」とする。
【００２５】
男性用尿吸収物品１の構成について、図１又は図２に基づいて説明する。図１は、本発明の一実施形態に係る自然状態（未使用状態）における男性用尿吸収物品１の構成を示す平面図であり、図２は、図１におけるＡ−Ａ断面図、つまり、男性用尿吸収物品１を上下方向に垂直な面で切断した断面図である。本発明に係る男性用尿吸収物品１は、長手方向の寸法Ｐが、長手方向に垂直な幅方向の寸法Ｑよりも大きい男性用尿吸収物品である。男性用尿吸収物品１は、略シート状の積層体３と表面シート４とがその外周縁部同士をホットメルト接着剤等により接合（当該接合部を図では接合部Ｓと表示している）して構成された袋状の補助吸収具であり、表面シート４の挿入部６に形成された弱化線７を裂開してできた開口部を通して挿入されたペニスを袋体５内の内部空間５ａに収納する構成になっている。なお、図２を含む男性用尿吸収物品１の断面図では、説明の便宜上、積層体３や内部空間５ａを上下方向に広げて図示しているが、実際は上下方向に薄いものである。
【００２６】
＜１．積層体＞
積層体３は、ペニスから排出された尿を吸収して保持する略シート状の吸収体３３と、吸収体３３の上面を覆う液透過性のトップシート３１と、吸収体の下面を覆う液不透過性（難透過性を含む）のバックシート３２とから構成されている。トップシート３１とバックシート３２は、ホットメルト接着剤により吸収体３３の周囲にて相互に接合されている。なお、トップシート３１とバックシート３２との接合（当該接合部を図２では接合部Ｔと表示している）は、熱接合や超音波シール等の方法により行われてもよい。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。
【００２７】
トップシート３１は、積層体３の上面を構成するシートであり、後述する表面シート４と内部空間５ａを形成する隙間を介して対向する液透過性のシートである。空間５ａとは、男性用尿吸収物品１の袋体５の内部を構成する空間であり、挿入されたペニスを収納することができる空間である。
【００２８】
トップシート３１としては、直接着用者（ペニス）の肌に触れるために、肌を必要以上に損なうことなく肌触りの良い点を考慮してこれに適した衛生的な材料が選択され、着用者からの尿を素早く捕捉し、速やかに吸収体３３へ透過させるのに適した液透過性のシートが用いられる。例えば、セルロース、レーヨン、コットン等の親水性繊維を用いた不織布が好ましい。なお、トップシートとして、ポリプロピレン、ポリエチレン、ポリエステル、ポリアミド、ナイロン等の疎水性繊維の表面を界面活性剤により処理して透液性とした不織布を用いることも可能である。
【００２９】
バックシート３２は、積層体３の下面を構成するシートであり、トップシート３１を透過した尿や、一旦吸収体３３に吸収された尿が吸収体３３の内部から外部へしみ出すことを防止する液不透過性のシートである。着用性の観点から、バックシート３２の表面積は、トップシート３１と同一であることが望ましい。
【００３０】
バックシート３２としては、一般的に衛生材料からなる液不透過性のシートが用いられる。例えば、ポリプロピレン、ポリエチレン、ポリエステル、ポリアミド、ナイロン等疎水性繊維を用いた撥水性の不織布が用いられる。なお、撥水性または不透液性のプラスチックフィルムや、上記不織布とプラスチックフィルムとの複合材料等がバックシート３２として利用されてもよい。この場合、着用者の快適性の観点からは、透湿性（すなわち、通気性）を有して水蒸気を透過させて蒸れを防止でき、ある程度可撓性を有するプラスチックフィルムが利用されることが好ましい。
【００３１】
吸収体３３は、トップシート３１を透過してきた尿を吸収して保持する役割を果たす。したがって、液体吸収性に優れる材質のものであれば使用することができ、このような吸収体３３としては、親水性繊維（例えば、粉砕したパルプ繊維やセルロース繊維）の集合体に粒状の吸水性ポリマーを混合したものをティッシュペーパーや透液性不織布等の被覆シートにより包み込んで形成され、トップシート３１を透過した尿を吸収して迅速に保持・固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。また、略平行に相対向する二枚の液透過性シートの対向面に接着剤等を塗布し、層状の吸収性ポリマー（ポリマー層）を挟み込んで固定した略シート状吸収体を利用することもできる。この場合、ポリマー層は、長手方向に延びる略矩形状の層であり、幅方向に間隔をおいて複数配列している。ポリマー層の非存在領域においては、二枚の液透過性シート同士が接合され封止されている。
【００３２】
＜２．表面シート＞
表面シート４は、ペニスを挿入する領域である挿入部６を有している。男性用尿吸収物品１を着用者が装着したとき、表面シート４の上面が着用者の下腹部、股部及び大腿部に当接する、すなわち、着用者の肌に触れることになるので、快適な着用感を考慮すると、表面シート４としては、肌触り感がよく衛生的な材料からなる可撓性かつ液不透過性のシートを用いることが望ましい。例えば、ポリプロピレン、ポリエチレン、ポリエステル、ポリアミド、ナイロン等疎水性繊維を用いた撥水性の不織布が用いられる。なお、撥水性または不透液性のプラスチックフィルムや、上記不織布とプラスチックフィルムとの複合材料等が表面シート４として利用されてもよい。この場合、着用者の快適性の観点からは、透湿性（すなわち、通気性）を有して水蒸気を透過させて蒸れを防止でき、ある程度可撓性を有するプラスチックフィルムが利用されることが好ましい。また、スパンボンド不織布、メルトブロー不織布、ＳＭＳ不織布等の撥水性不織布材料を用いることも可能である。
【００３３】
＜３．挿入部及びその付近の構成について＞
＜３−１．挿入部＞
次に、表面シート４に設けられた挿入部６及びその付近の構成について、図１乃至図３に基づいて説明する。図３は、図１において張出シートを省いた男性用尿吸収物品１の平面図である。
【００３４】
本実施形態に係る挿入部６は、上述したように表面シート４に設けられている。挿入部６とは、表面シート４の長手方向略中央領域近傍において、幅方向に延びる領域（図３では、点線で囲まれた略矩形状の領域）のことであり、その領域内には幅方向（ペニス挿入方向と交差する方向）に延びる弱化線７が形成されている。ペニス挿入時に初めて弱化線７を長手方向に裂開してペニス挿入用の開口部を形成するもので、このため、未使用状態では、挿入部７には、ペニスを男性用尿吸収物品１の内部空間５ａに挿入するための開口部は開口していない。
【００３５】
なお、本実施形態に係る挿入部６の幅方向の寸法について、図１及び図３では、説明の便宜上、男性用尿吸収物品１の幅方向と同一、若しくはそれよりも若干小さい程度に設定しているが、ペニスに合わせて弱化線７を適宜の長さだけ裂開してペニス挿入用開口部を形成するので、その「適宜の長さ」より若干余裕がある程度の弱化線７を形成することができる大きさであればよい。
【００３６】
＜３−２．弱化線＞
次に、挿入部６に形成される弱化線７について説明する。本実施形態に係る弱化線７は、ペニス挿入用開口部を形成するために、手で裂開することができる目印となる分離線、又は分離領域である。弱化線７は、例えば、切断、打ち抜き又はナイフによる引き掻きのような機械的手段、超音波シールやヒートシール等のエンボス加工を含む熱処理、レーザー加工、電子ビーム加工、放電加工のような物理的手段、溶解、又は、溶剤を使用するか、若しくは、例えばエッチングのような化学反応による膨潤を使用して形成される。本実施形態に係る弱化線７は、図１又は図３に示すように、切り込み部と非切り込み部とが幅方向の交互に配列したミシン目状に形成され、その切り込み部及び非切り込み部の幅方向の寸法が均一になるように形成している。
【００３７】
以上、本実施形態に係る男性用尿吸収物品１は、積層体３の全外周縁部と表面シート４の全外周縁部とが接合されて袋体５を構成し、袋体５の内部空間５ａが密閉された男性用尿吸収物品であり、表面シート４に形成された弱化線７を裂開することにより初めてペニス挿入用の開口部８が開口されるものである（図６参照）。このような構成にすることにより、男性用尿吸収物品１を着用するときに初めて弱化線７を長手方向に裂開して開口部８を形成することになるので、男性用尿吸収物品１が未使用であるか使用済みであるかを視認することができる。また、使用時まで弱化線７を裂開して開口しないので、それまでの未使用状態では、ペニスを収納する袋体５の内部空間５ａに外部から異物が侵入しにくく、そのため内部空間５ａを清潔に保つことができ、袋体５の内部空間５ａのトップシート３１上面や表面シート４下面は着用者のペニスに直接触れるものであるので衛生的にも優れている。
【００３８】
＜３−３．張出シート＞
また、本実施形態では、図１、図２、図４、図６に示すように、表面シート４に設けられた挿入部６において、挿入部６の長手方向一方側及び他方側の縁部には、それぞれ一対となる対向辺６ａ、６ｂを有し、この一対の対向辺６ａ、６ｂそれぞれから男性用尿吸収物品１の外部側へ向けて一対の液不透過性の張出シート１０１・１０２（その総称を１０とする）が張り出されている。張出シート１０１若しくは１０２は、張出シート１０１若しくは１０２の付け根部分である挿入部６の対向辺６ａ若しくは６ｂを起倒軸として、起倒自在に支承されている。例えば、略平板状の自然状態においては、挿入部６の対向辺６ａ若しくは６ｂを中心に、張出シート１０は略１８０度回動可能、すなわち、長手方向両側に起倒可能である（図４では、張出シート１０１が挿入部６の対向辺６ａを起倒軸として起倒自在に支承されている様子を図示している）。
【００３９】
本実施形態に係る張出シート１０は、男性用尿吸収物品１を装着する際に、張出シート１０がペニスの保持手段として機能するとともに、把手手段として着用者若しくは介護者が装着するため／させるために掴むことができる。また、開口部８を形成するのに、弱化線７の周囲の表面シート４の少なくとも２カ所（弱化線７を境に長手方向一方側及び他方側に一カ所ずつ）に、互いに離間する力をそれぞれ加えることで弱化線７が長手方向に裂開するが、張出シート１０を設けることにより、張出シート１０を掴んで互いに離間する方向に引っ張ることで上記２カ所に力が加わり、弱化線７を容易に裂開させることができる。
【００４０】
また、張出シート１０の長手方向の寸法Ｒは、張出シート１０が上述した保持手段及び把手手段としての機能を奏するのに十分な大きさを有するように設定する。
【００４１】
なお、張出シート１０と表面シート４とは、それぞれ別体のシートでもいいし、張出シート１０と表面シート４とが単一のシートから構成されていてもよい。
【００４２】
＜３−４．接着層＞
また、相対向する一対の張出シート１０１・１０２の対向面１０１ａ・１０２ａそれぞれ（その総称として１０ａとする）には、接着対象との間で着脱自在な接着層２０が形成されている。本実施形態に係る接着層２０は、図５に示すように、基材シート２０１と、基材シート２０１の一方の面に形成された接着剤層２０２と、必要に応じて接着剤層２０２の上に設けられる剥離シート２０３とから構成されている。基材シート２０１の他方の面を張出シート１０の対向面１０ａに貼着させておき、使用に際しては、剥離シート２０３が設けられている場合には、剥離シート２０３を剥がし、対向する接着剤層２０２・２０２同士を貼り合わせる。
【００４３】
本実施形態に係る接着層２０は、基材シート２０１の一方の面に特定の接着剤層２０２を有するものであって、基材シート２０１としては、接着層２０の基材シート２０１として慣用されているものの中から、任意のものを適宜選択して用いることができる。基材シート２０１としては、例えば上質紙、グラシン紙、コート紙、無塵紙などの紙類、ポリエステル（例えばポリエチレンテレフタレート、ポリブチレンテレフタレート、ポリエチレンナフタレート、）、ポリオレフィン（ポリプロピレン、ポリエチレン、）、ポリ塩化ビニル、ポリ塩化ビニリデン、ポリスチレン、ポリカーボネート、ポリビニルアルコール、ポリウレタン、アクリル系樹脂、オレフィン系（ＴＰＯ）、ポリウレタン系、ポリスチレン系等の熱可塑性エラストマー、アイオノマー、エチレン−メタクリル酸共重合体などのプラスチックシート、セルローストリアセテート、セルロースジアセテート、セロハンなどのセルロース系シートなどが挙げられる。
【００４４】
また、基材シート２０１として、伸縮部材を用いることができる。伸縮部材の形成材料は、例えば熱可塑性エラストマー、プラスチックシート、ゴムシート等の伸縮性を有する公知の種々のものを使用することができるが、特に熱可塑性エラストマーを使用することが好ましい。この熱可塑性エラストマーとしては、例えばスチレン系エラストマー、オレフィン系エラストマー、アイオノマー樹脂、シリコーン系樹脂等の公知の種々のものを用いることができる。また、これらの熱可塑性エラストマーの中でも、特にスチレン系エラストマー又はオレフィン系エラストマーを用いることが好ましい。
【００４５】
また、これらの伸縮性部材は、その表面及び／又は裏面に不織布が配設されていることが好ましい。この不織布を構成する素材繊維としては、例えばポリプロピレン（ＰＰ）、ポリエチレン（ＰＥ）、ナイロン、ポリエステル（ＰＥＴ等）、アクリル等や、ＰＰ／ＰＥ混合不織布、ＰＥ／ＰＥＴ混合不織布など上記素材を適宜組み合わせたバイコンポーネント繊維（混合繊維）等の公知の種々の素材繊維を用いることができる。また、このような素材繊維から不織布を製造する方法としては、例えばケミカルボンド法、サーマルボンド法、スパンレース法、スパンボンド法、メルトブローン法、ニードルパンチ法等、公知の種々の加工法を適宜用いることができる。
【００４６】
接着剤層２０２を構成する接着剤としては、従来、基材シートの接着剤層に慣用されているもの、例えば、アクリル系粘着剤、ゴム系粘着剤、シリコーン系粘着剤等を使用することができるが、好ましくは、微粘着性の材料であることが望ましい。微粘着性材料としては、例えば、ウレタン系樹脂、アクリル系樹脂、塩化ビニル系樹脂、スチレン−ブタジエン共重合体及びこれらの混合物などの熱可塑性樹脂が挙げられる。また、非粘着性樹脂に粘着付与剤や粘着剤などを適宜配合して、微粘着性を付与してもよい。
【００４７】
本実施形態に係る接着層２０には、接着剤層２０２に剥離シート２０３が貼着されている。剥離シート２０３としては、例えば、グラシン紙、上質紙、コート紙、ポリエチレンラミネート紙等の紙材、又は、ポリエチレンテレフタレート、ポリエチレン、ポリプロピレン等のプラスチックフィルムに、シリコーン樹脂、フッ素樹脂、長鎖アルキル系樹脂等の剥離剤を塗布したものが用いられる。
【００４８】
また、接着層２０として、基材シート２０１に、自己密着性を有する接着材料を塗布した接着部材を用いることができる。自己密着性（いわゆる自着性）とは、被着材に対して弱く接着し、接着面同士においては強く接着する特性のことをいい、例えばスチレン−イソプレン−スチレンブロック共重合体から成るベースポリマーに、粘着付与剤と添加剤とが配合されたもの等がある。また、接着面同士にのみ接着し、それ以外の被着材には接着しない非粘着自着性を有する接着部材を用いることもできる。なお、本実施形態で使用される自着性材料としては、公知の種々のものを使用することができる。
【００４９】
＜４．装着する手順＞
次に、本実施形態に係る男性用尿吸収物品１を装着する手順について説明する。
【００５０】
本実施形態における自然状態とは、張出シート１０１・１０２が互いに対向した状態ではなく、図１に示すように、張出シート１０１・１０２それぞれが表面シート４の上面に略当接した状態で、かつ、男性用尿吸収物品１が略平板状の状態をいう。
【００５１】
まず、張出シート１０１・１０２をそれぞれ指等で掴む。次に、挿入部６の対向辺６ａ・６ｂを中心に張出シート１０１・１０２を起倒させて、表面シート４の面に対して略垂直に起こして張出シート１０１と張出シート１０２とを対向させる。その後、図６に示すように、張出シート１０１・１０２を互いに相対する方向（長手方向に平行な方向）に引っ張って離間させることにより、張出シート１０１・１０２を引っ張る力（図６中、記号Ｆで表す力）に伴って弱化線７の周囲の表面シート４も引っ張られるため、ある一定以上の強さの引っ張り力が弱化線７にかかると長手方向に平行な方向に弱化線７が裂開する。したがって、挿入部６の弱化線７が裂開することによりペニス挿入用の開口部８が形成される。
【００５２】
次に、ペニス２を開口部８から袋体５の内部空間５ａに挿入・収納して、当該内部空間５ａにある程度まで挿入・収納した段階で、張出シート１０１の対向面１０１ａ、及び張出シート１０２の対向面１０２ａそれぞれをペニスの外周に当接させる（図７参照）。対向した張出シート１０１・１０２同士を押さえつけることにより、張出シート１０１の対向面１０１ａ、及び張出シート１０２の対向面１０２ａそれぞれに形成された接着層２０・２０同士が貼着し、ペニス２に当接していない領域の開口部を閉口させる。
【００５３】
次に、男性用尿吸収物品１を装着した状態で、紙おむつ等のアウターを身につける。
【００５４】
なお、男性用尿吸収物品１を取り外す手順は、上述した装着方法と逆の手順で行われる。
【００５５】
＜５．変形例＞
以上、本発明の一実施形態について説明したが、本発明は上記の実施形態に限定されるものではない。例えば、吸収体３３を積層体３にだけでなく、表面シート４側にも備えてもよい。詳しくは、図８に示されているように、袋体５の内部空間５ａを形成する隙間を介して積層体３の上面と対向する液透過性の不織布シート２５と、当該液透過性の不織布シート２５と表面シート４との間に略シート状の吸収体３３を介挿させている。液透過性の不織布シート２５と表面シート４とは、ホットメルト接着剤等により吸収体３３の周囲にて接合されている。なお、この液透過性の不織布シート２５の材料は、トップシート３１と同一の材料を用いることができる。このような構成にすることにより、尿の吸収量を増加させることができ、また、吸収体３３はクッション性を有するので、袋体５の内部空間５ａにペニスを収納したとき、更に良好なフィット感が得られる。
【００５６】
また、弱化線７は、上記実施形態に限定されず、本発明の趣旨を逸脱しない範囲で種々変更することが可能である。例えば、上記実施形態では、切り込み部と非切り込み部とを幅方向に交互に配列し、その切り込み部と非切り込み部の幅方向の寸法が均一な弱化線７を形成したが、切り込み部と非切り込み部との寸法が不均一でも、また、交互に配列していなくても構わない。例えば、弱化線７を一点鎖線状、二点鎖線状やスリット状に形成してもよい。
【００５７】
また、上記実施形態では、幅方向の延びる挿入部６と平行な方向に弱化線７を形成していたが、例えば、弱化線７を、挿入部６と平行な方向に対して多少の角度を有するように形成したり、曲線状やサインカーブ状等に形成してもよい。
【００５８】
また、弱化線７の形状については、容易に裂開することができる形状であればよく、例えば、複数の直線を、その直線の中心部が互いに重なるように形成した図形、例えば、二本の直線を、その直線の中心部を互いに重ねることにより十字形状の弱化線７が形成される。弱化線７を十字形状にすることにより、十字形の直線が交差する中心部にペニスを押し当てて、そのまま押し込むことにより裂開させることができる。
【００５９】
また、図示していないが、弱化線７又はその近傍に、目印を付してもよい。
【００６０】
目印の一例としては、弱化線７を、表面シート４の他の部位とは異なる色で着色する。例えば、表面シート４が白色の不織布シートにより構成されている場合には、弱化線７に薄水色の着色を付す。
【００６１】
また、目印の他の例としては、弱化線７近傍に文字、図形及び記号のうち少なくとも一つを表示させることもできる。
【００６２】
以上のように、目印は、着用者が弱化線７の位置を容易に視認できるものであればよく、種々の目印の形態を採用することができる。このように目印を付することにより、目印を手がかりとして弱化線７を容易に認識することができ、したがって、弱化線７の裂開作業を容易に行うことができる。
【００６３】
また、上記実施形態では、図１に示すように、張出シート１０の対向面１０ａの幅方向のほぼ全域に接着層２０を形成する構成を図示したが、張出シート１０の対向面１０ａに部分的に接着層２０を形成する構成にすることもできる。
【００６４】
また、上記実施形態では、張出シート１０を備えた構成について説明したが、開口部８を形成するために、弱化線７の周囲の表面シート４の少なくとも２カ所（弱化線７を境に長手方向一方側及び他方側に一カ所ずつ）に、互いに離間する力をそれぞれ加えることで弱化線７を裂開させることができるのであれば、張出シート１０を設けない構成をとることも可能であり、その他いかなる変形例も可能である。
【００６５】
また、図示していないが、弱化線７を容易に安定して裂開させるために、弱化線７若しくは挿入部６近傍に補強シートを貼着させてもいい。補強シートの材料は、ポリエチレン等のプラスチックフィルム等が用いられ、ある程度の強度を有し、かつ、少なくとも幅方向に対する可撓性を有する材料であればよい。
【００６６】
なお、補強シートの貼着位置としては、張出シート１０を設けている場合と設けていない場合とで異なる。張出シート１０を設けている場合では、張出シート１０の一方の面（接着層２０が形成されている対向面１０ａとは反対の面）に、幅方向に延びる補強シートを貼着する。なお、張出シート１０の対向面１０ａに貼着されている剥離シート２０３を補強シートとして利用してもよい。張出シート２５が設けられていない場合では、例えば、挿入部６の対向辺６ａ・６ｂそれぞれに幅方向に延びる補強シートを貼着させる。
【００６７】
なお、男性用尿吸収物品１の形状については、その内部空間５ａにペニスを収納することができる袋状であればよい。上記実施形態では、男性用尿吸収物品１の形状を平面視略矩形状としたが、平面視略正方形状、略円形状、又は球状等にすることも可能である。
【００６８】
上記実施形態では、表面シート４の長手方向略中央領域近傍において幅方向に延びる挿入部６を設けていたが、例えば、表面シート４の長手方向一方側近傍、すなわち、積層体３と表面シート４との接合部Ｓ近傍に幅方向に延びる挿入部６を設け、そこに弱化線７を形成する構成をとることも可能である。
【図面の簡単な説明】
【００６９】
【図１】本発明の一実施形態に係る自然状態における男性用尿吸収物品の構成を示す平面図である。
【図２】図１におけるＡ−Ａ断面図である。
【図３】図１において張出シートを省いた男性用尿吸収物品の平面図である。
【図４】張出シートが起倒軸を中心に起倒自在であることを示した断面図である。
【図５】張出シートと接着層の断面図である。
【図６】張出シートを互いに離間するように引っ張っている様子を示した図である。
【図７】男性用尿吸収物品を装着したときの断面図である。
【図８】表面シート側にも吸収体を設けた男性用尿吸収物品の断面図である。
【符号の説明】
【００７０】
１  男性用尿吸収物品
３  積層体
４  表面シート
５  袋体
５ａ  内部空間
６  挿入部
７  弱化線
８  開口部
１０  張出シート
２０  接着層
【図１】
2010035781.tif 000003
【図２】
2010035781.tif 000004
【図３】
2010035781.tif 000005
【図４】
2010035781.tif 000006
【図５】
2010035781.tif 000007
【図６】
2010035781.tif 000008
【図７】
2010035781.tif 000009
【図８】
2010035781.tif 000010